(57)【特許請求の範囲】
【請求項１】
印刷機番号に対応して印刷予定の品名柄番号が記述されたデータである予定データと、前記品名柄番号に対応して重ね刷りにより柄を構成する一組の版胴柄番号が記述された柄構成データと、版胴を特定する版胴ＩＤに対応して前記版胴柄番号が記述された版胴マスタデータとに基づいて、前記印刷機番号に対応して使用すべき版胴の前記版胴ＩＤが記述された使用版胴データを計算する版胴引当計算手段を有すると共に、前記柄構成データは版胴の選択方法を指定する選択方法の属性値を有し、前記版胴マスタデータは版胴履歴の属性値を有し、前記版胴引当計算手段は前記選択方法に基づいて前記版胴履歴を参照し前記使用版胴データを計算することを特徴とする版胴決定装置。
【請求項２】
請求項１に記載の版胴決定装置において、前記予定データを生産計画装置から入力する予定データ入力手段を有することを特徴とする版胴決定装置。
【請求項３】
請求項１または２に記載の版胴決定装置において、前記柄構成データと前記版胴マスタデータとをデータベースとして管理するデータベース管理手段を有することを特徴とする版胴決定装置。
【請求項４】
請求項１〜３のいずれかに記載の版胴決定装置において、前記使用版胴データを記憶する記憶手段を有することを特徴とする版胴決定装置。
【請求項５】
請求項１〜４のいずれかに記載の版胴決定装置において、前記予定データは前記印刷機番号と前記品名柄番号とともに開始時刻と終了時刻と品名の属性値を有するテーブルであることを特徴とする版胴決定装置。
【請求項６】
請求項１〜５のいずれかに記載の版胴決定装置において、前記柄構成データは前記品名柄番号と前記版胴柄番号と前記選択方法とともに刷順の属性値を有するテーブルであることを特徴とする版胴決定装置。
【請求項７】
請求項１〜６のいずれかに記載の版胴決定装置において、前記版胴マスタデータは前記版胴柄番号と前記版胴ＩＤとともに前記版胴履歴としてリクローム後印刷累積ｍ数の属性値を有するテーブルであることを特徴とする版胴決定装置。
【請求項８】
請求項１〜７のいずれかに記載の版胴決定装置において、前記使用版胴データは前記印刷機番号と前記版胴ＩＤとともに品名と刷順の属性値を有するテーブルであることを特徴とする版胴決定装置。
【発明の詳細な説明】
【０００１】
【発明の属する技術分野】
本発明は印刷の技術分野に属する。特に、グラビア印刷等において保管する版胴から使用する版胴を自動決定する版胴決定装置に関する。
【０００２】
【従来の技術】
従来は、予定データを見て、版胴在庫リストを付け合わせて使用する版胴を作業者が決定していた。
【０００３】
【発明が解決しようとする課題】
版胴の候補が１つだけあれば使用する版胴の選択に当たって迷う余地は少ないが、版胴の候補が複数ある場合には作業者による判断がともなう。そのため、同じ柄の複数の版胴が、同時期にリクローム等で整備に出されてしまう場合がある。すなわち、予定があるにもかかわらず版胴がない状態となり業務上支障となることがある。
【０００４】
本発明は上記の課題を解決するためになされたものである。その目的とするところは、使用する版胴を適正に自動決定することができる版胴決定装置を提供することにある。
【０００５】
【課題を解決するための手段】
上記の課題は下記の本発明によって解決される。すなわち、本発明の請求項１に係る版胴決定装置は、印刷機番号に対応して印刷予定の品名柄番号が記述されたデータである予定データと、前記品名柄番号に対応して重ね刷りにより柄を構成する一組の版胴柄番号が記述された柄構成データと、版胴を特定する版胴ＩＤに対応して前記版胴柄番号が記述された版胴マスタデータとに基づいて、前記印刷機番号に対応して使用すべき版胴の前記版胴ＩＤが記述された使用版胴データを計算する版胴引当計算手段を有すると共に、前記柄構成データは版胴の選択方法を指定する選択方法の属性値を有し、前記版胴マスタデータは版胴履歴の属性値を有し、前記版胴引当計算手段は前記選択方法に基づいて前記版胴履歴を参照し前記使用版胴データを計算するようにしたものである。
【０００６】
本発明によれば、版胴引当計算手段により予定データが参照され印刷機番号から品名柄番号が得られ、さらに柄構成データが参照され品名柄番号から版胴柄番号が得られ、さらに版胴マスタデータが参照され版胴柄番号から版胴ＩＤが得られる。すなわち、印刷機番号に対応して使用すべき版胴の版胴ＩＤが記述された使用版胴データが計算される。したがって、使用する版胴を適正に自動決定することができる版胴決定装置が提供される。
また、本発明によれば、版胴引当計算手段により柄構成データと版胴マスタデータが参照され選択方法と版胴履歴から使用版胴データが計算される。したがって、使用可能な版胴が複数ある場合においても、選択方法と版胴履歴から実際に使用する版胴ＩＤを自動決定することができる。
【０００８】
また本発明の請求項２に係る版胴決定装置は、請求項１に係る版胴決定装置において、前記予定データを生産計画装置から入力する予定データ入力手段を有するようにしたものである。本発明によれば、予定データ入力手段により生産計画装置から予定データが入力される。
【０００９】
また本発明の請求項３に係る版胴決定装置は、請求項１〜２のいずれかに係る版胴決定装置において、前記柄構成データと前記版胴マスタデータとをデータベースとして管理するデータベース管理手段を有するようにしたものである。本発明によれば、データベース管理手段により柄構成データと版胴マスタデータとがデータベースとして管理される。
【００１０】
また本発明の請求項４に係る版胴決定装置は、請求項１〜３のいずれかに係る版胴決定装置において、前記使用版胴データを記憶する記憶手段を有するようにしたものである。本発明によれば、記憶手段により使用版胴データが記憶される。
【００１１】
また本発明の請求項５に係る版胴決定装置は、請求項１〜４のいずれかに係る版胴決定装置において、前記予定データは前記印刷機番号と前記品名柄番号とともに開始時刻と終了時刻と品名の属性値を有するテーブルであるようにしたものである。本発明によれば、予定データを参照することにより印刷機番号と品名柄番号と開始時刻と終了時刻と品名とを得ることができる。
【００１２】
また本発明の請求項６に係る版胴決定装置は、請求項１〜５のいずれかに係る版胴決定装置において、前記柄構成データは前記品名柄番号と前記版胴柄番号と前記選択方法とともに刷順の属性値を有するテーブルであるようにしたものである。本発明によれば、柄構成データを参照することにより品名柄番号と版胴柄番号と刷順の属性値を得ることができる。
【００１３】
また本発明の請求項７に係る版胴決定装置は、請求項１〜６のいずれかに係る版胴決定装置において、前記版胴マスタデータは前記版胴柄番号と前記版胴ＩＤとともに前記版胴履歴としてリクローム後印刷累積ｍ数の属性値を有するテーブルであるようにしたものである。本発明によれば、版胴マスタデータを参照することにより版胴柄番号と版胴ＩＤと版胴履歴とリクローム後印刷累積ｍ数とを得ることができる。
【００１４】
また本発明の請求項８に係る版胴決定装置は、請求項１〜７のいずれかに係る版胴決定装置において、前記使用版胴データは前記印刷機番号と前記版胴ＩＤとともに品名と刷順の属性値を有するテーブルであるようにしたものである。本発明によれば、使用版胴データを参照することにより印刷機番号と版胴ＩＤと品名と刷順とを得ることができる。
【００１５】
【発明の実施の形態】
次に、本発明について実施の形態により説明する。本発明の版胴決定装置の構成を図１に示す。図１において、１は一例としての構成範囲を示す版胴決定装置、２は演算部、３は記憶部、４は入力部、５は表示部、６は予定データ入力手段、７はデータ読込手段、８は版胴引当計算手段、９はデータ書込手段、１０は使用版胴データ、１１は柄構成データ、１２は版胴マスタデータ、１０１は生産計画装置、１０２は予定データ、１０３はＬＡＮ（local area network）である。
【００１６】
版胴決定装置１は、パーソナルコンピュータ、ワークステーション等のデータ処理装置のソフトウェアとハードウェアによって構成することができる。すなわち、版胴決定装置１は、通常のデータ処理装置の構成である演算部２と記憶部３と入力部４と表示部５を有する。また、版胴決定装置１は、ＬＡＮ１０３等の通信回線に接続された他の装置とデータ通信を行うことができる。図１に示す一例では、版胴決定装置１は生産計画装置１０１とＬＡＮ１０３を介して接続されており、生産計画装置１０１から予定データ１０２を入力し、生産計画装置１０１に使用版胴データ１０を出力する。このように、図１に示す一例では、版胴決定装置１と生産計画装置１０１は別個の装置として示されているが、同一の装置における２つのアプリケーションプログラムとして構成することもできる。
【００１７】
演算部２は、予定データ入力手段６、データ読込手段７、版胴引当計算手段８、データ書込手段９を有する。演算部２は、予定データ１０２、記憶部３が記憶するデータ、入力部４から入力されるデータ、等に基づいて演算（データ処理）を行い新たなデータを生成する（詳細は後述する）。
記憶部３はハードディスク装置、等の記憶装置である。記憶部３は、柄構成データ１１、版胴マスタデータ１２、および、新たに生成された使用版胴データ１０、等を記憶する。
【００１８】
版胴決定装置１において、上記の演算部２と記憶部３により、柄構成データ１１と版胴マスタデータとをデータベースとして管理するデータベース管理手段（図示せず）を構成すると好適である。
【００１９】
入力部４は、キーボード、マウス等の入力装置である。版胴決定装置１を使用する作業者と版胴決定装置１とのインターフェース装置であり、指示入力、データ入力、等が行われる。
表示部５は、ＣＲＴ（cathode ray tube）ディスプレイ装置、ＬＣＤ（liquid crystal display）装置、等の表示装置である。版胴決定装置１を使用する作業者と版胴決定装置１とのインターフェース装置であり、指示入力画面、演算結果のデータ、等を表示する。
【００２０】
予定データ入力手段６は、生産計画装置１０１から予定データ１０２を入力する。
データ読込手段７は、記憶部３から柄構成データ１１、版胴マスタデータ１２、等を読み込む。
版胴引当計算手段８は、予定データ１０２と柄構成データ１１と版胴マスタデータとに基づいて使用版データ１０を演算する。そのとき、柄構成データ１１の選択方法に基づいて、版胴マスターデータ１２の版胴履歴を参照しその使用版胴データ１０を計算する。
データ書込手段９は、記憶部３に使用版データ１０、等を書き込む。
【００２１】
使用版データ１０は、印刷機番号に対応して使用すべき版胴の版胴ＩＤ（identification）を記述するデータである（図６参照）。図６に示す一例では、印刷機番号と版胴ＩＤとともに品名と刷順の属性値を有するテーブルである。使用版データ１０は、本発明の版胴決定装置１によって生成されるデータである。
【００２２】
柄構成データ１１は、品名柄番号に対応して重ね刷りにより柄を構成する一組の版胴柄番号、および版胴の選択方法を指定する選択方法とを記述するデータである（図４参照）。図４に示す一例では、品名柄番号と版胴柄番号と選択方法ともに刷順の属性値を有するテーブルである。
版胴マスタデータ１２は、版胴を特定する版胴ＩＤに対応して版胴柄番号を記述するデータである（図５参照）。図５に示す一例では、印刷機番号と版胴ＩＤとともに版胴履歴としてリクローム後印刷累積ｍ数の属性値を有するテーブルである。
【００２３】
生産計画装置１０１は、受注データ等を入力し、予定データ等を生成する装置である。たとえば、特開平０３−３２５５６「生産機械の稼動予定立案装置」に開示されているような装置である。
予定データ１０２は、印刷機番号に対応して印刷予定の品名柄番号を記述したデータである（図３参照）。図３に示す一例では、印刷機番号と品名番号とともに開始時刻と終了時刻と品名の属性値を有するデーブルである。
ＬＡＮ１０３は、イーサネット（Ethernet）等の通信回線である。
【００２４】
以上の構成において、次に、本発明の版胴決定装置の動作を説明する。本発明の版胴決定装置における演算過程をフロー図として図２に示す。まず、図２のステップＳ１において、版胴決定装置１は生産計画装置１０１から予定データ１０２をＬＡＮ１０３を介して入力する。入力部４から作業者が指示入力すると、演算部２の予定データ入力手段６は、この入力を行うとともに入力した予定データ１０２を、演算部２を構成する主記憶手段（図示せず）に記憶する。そして、版胴引当計算手段８は、入力した予定データ１０２の属性値である印刷機番号の内から特定の印刷機番号を処理対象として設定する（図３参照）。また、この処理対象の印刷機番号に対応した特定の品名を処理対象として設定する。そして、この処理対象の印刷機番号と品名に対応した品名柄番号を抽出する。
【００２５】
次に、ステップＳ２において、演算部２のデータ読込手段７によって記憶部３の柄構成データ１１が主記憶手段に読み込まれる。版胴引当計算手段８は、その柄構成データ１１を参照し、抽出した品名柄番号に対応する柄構成データ１１のすべての版胴柄番号と選択方法とを抽出する（図４参照）。
【００２６】
次に、ステップＳ３において、演算部２のデータ読込手段７によって記憶部３の版胴マスタデータ１２が主記憶手段に読み込まれる。版胴引当計算手段８は、その版胴マスタデータ１２を参照し、抽出したすべての版胴柄番号に対応する版胴マスタデータ１２の版胴ＩＤを選択方法にしたがって抽出する（図５参照）。選択方法には、版胴柄番号に対応する版胴ＩＤが複数存在する場合には、版胴履歴に基づいて１つの版胴ＩＤを選択する方法が指定されている。版胴履歴は、たとえば、リクローム後印刷累積ｍ（メートル）数である。このリクローム後印刷累積ｍ数の大きさを比較し、版胴引当計算手段８は選択方法にしたがって大きい版胴ＩＤ、または小さい版胴ＩＤを優先的に抽出する。
【００２７】
次に、ステップＳ４において、版胴引当計算手段８は、処理対象の印刷機械番号と対応させて抽出した版胴ＩＤのテーブルである使用版データを生成する。このとき、予定データから抽出することができる「品名」、柄構成データから抽出することができる「刷順」も処理対象の印刷機械番号と対応させてテーブルとし使用版データ１０を生成する（図６参照）。
【００２８】
図２においては、繰り返し行う演算過程は図示してないが、版胴決定装置１は、上述したような演算過程を繰り返して行う。そして、使用すべき版胴を決定する所定の印刷機番号と所定の品名のすべてを、処理対象の印刷機番号と処理対象の品名として処理を行い使用版データ１０に追加する（図６参照）。すべての処理対象の演算過程が済んだときには、この生成した使用版データ１０は主記憶手段に記憶されている。そこで最後に、演算部２のデータ書込手段９は主記憶手段の使用版データ１０を記憶部３に書き込む。
【００２９】
次に、図２に示した演算過程について、図３に示す予定データ、図４に示す柄構成データ、図５に示す版胴マスタデータ、図６に示す使用版データ、を参照しながら、より具体的な一例として説明する。
（Ｓ１０１）まず、図３に示す予定データから、機械番号“Ｍ１”の最初に作業する品目は、開始時刻を見ると、“１９９９／４／０８：００”の品名“Ａ”で、その品名柄番号が“１１１”であることが分かる。
【００３０】
（Ｓ１０２）次に、品名柄番号“１１１”で使用されるべき版胴柄番号を図４に示す柄構成データから調べる。柄構成データから品名柄番号“１１１”の版胴番号は刷順の順番に“ａ”、“ｂ”、“ｃ”であることが分かる。
（Ｓ１０３）次に、使用されるべき版胴ＩＤを図５に示す版胴マスタデータから調べる。版胴マスタデータから版胴柄番号“ａ”、“ｂ”、“ｃ”の版胴ＩＤは“９８７６５４３２”、“８７６５４３２１”、“７６５４３２１０”であることが分かる。
（Ｓ１０４）そして最後に、機械番号“Ｍ１”、品名“Ａ”で使用する版胴を刷順ごとのテーブルとして図６の使用版データに登録する。すなわち、機械番号“Ｍ１”、品名“Ａ”の刷順“１”に版胴ＩＤ“９８７６５４３２”、刷順“２”に版胴ＩＤ“８７６５４３２１”、刷順“３”に版胴ＩＤ“７６５４３２１０”を登録する。
【００３１】
同様に、図３の予定データにおける機械番号“Ｍ１”の次の品目である品名“Ｂ”についても同様にＳ１１〜Ｓ１４を行う。このとき、Ｓ１３において版胴ＩＤが複数候補として現れる。その場合には、図４の柄構成データの選択方法で複数存在する版胴ＩＤの内の１つに限定される。この場合の処理を（Ｓ１５）として次に示す。
（Ｓ１０５）品名“Ｂ”で使用される版胴柄番号“ｄ”、“ｅ”、“ｆ”において、“ｅ”は図５の版胴マスタデータから２本の版胴ＩＤ“５４３２１０９８”、“４３２１０９８７”が候補として現れる。ここで、図４の柄構成データの選択方法が“ア”である。すなわち、リクローム後の累積ｍ数の大きい報を選択基準としているので、この場合には版胴ＩＤ“５４３２１０９８”が選択される。
【００３２】
【発明の効果】
以上のように本発明の請求項１に係る版胴決定装置によれば、使用する版胴を適正に自動決定することができる版胴決定装置が提供される。また、使用可能な版胴が複数ある場合においても、選択方法と版胴履歴から実際に使用する版胴ＩＤを自動決定することができる。また本発明の請求項２に係る版胴決定装置によれば、予定データ入力手段により生産計画装置から予定データが入力される。また本発明の請求項３に係る版胴決定装置によれば、データベース管理手段により柄構成データと版胴マスタデータとがデータベースとして管理される。また本発明の請求項４に係る版胴決定装置によれば、記憶手段により使用版胴データが記憶される。また本発明の請求項５に係る版胴決定装置によれば、予定データを参照することにより印刷機番号と品名柄番号と開始時刻と終了時刻と品名とを得ることができる。また本発明の請求項６に係る版胴決定装置によれば、柄構成データを参照することにより品名柄番号と版胴柄番号と選択方法と刷順の属性値を得ることができる。また本発明の請求項７に係る版胴決定装置によれば、版胴マスタデータを参照することにより版胴柄番号と版胴ＩＤと版胴履歴とリクローム後印刷累積ｍ数とを得ることができる。また本発明の請求項８に係る版胴決定装置によれば、使用版胴データを参照することにより印刷機番号と版胴ＩＤと品名と刷順とを得ることができる。
【図面の簡単な説明】
【図１】本発明の版胴決定装置の構成を示す図である。
【図２】本発明の版胴決定装置における演算過程を示すフロー図である。
【図３】予定データの一例を表として示す図である。
【図４】柄構成データの一例を表として示す図である。
【図５】版胴マスタデータの一例を表として示す図である。
【図６】使用版胴データの一例を表として示す図である。
【符号の説明】
１  版胴決定装置
２  演算部
３  記憶部
４  入力部
５  表示部
６  予定データ入力手段
７  データ読込手段
８  版胴引当計算手段
９  データ書込手段
１０  使用版胴データ
１１  柄構成データ
１２  版胴マスタデータ
１０１  生産計画装置
１０２  予定データ
１０３  ＬＡＮ
【図１】
0004467664.tif 000002
【図２】
0004467664.tif 000003
【図３】
0004467664.tif 000004
【図４】
0004467664.tif 000005
【図５】
0004467664.tif 000006
【図６】
0004467664.tif 000007